(57)【特許請求の範囲】
【請求項１】
弾性体により無端状に形成された弾性クローラ本体と、
前記弾性クローラ本体のクローラ周方向に巻回されると共に、クローラ厚み方向から見て前記弾性クローラ本体の全周に亘ってクローラ幅方向に等間隔に埋設されて前記弾性体に被覆されたメインコードを有するメインコード層と、
前記メインコード層と隣接し、前記弾性クローラ本体の厚み方向からみて前記メインコードと交差すると共に前記弾性体に被覆された交差コードを有する交差コード層と、
を備え、前記弾性クローラ本体の少なくとも一部の領域において、前記メインコード層と前記交差コード層は、前記メインコードと前記交差コードとが前記厚み方向からみて重なり合う部分の合計面積が、前記メインコードと前記交差コードが配置されていない領域同士が前記厚み方向からみて重なり合う部分の合計面積よりも小さい、弾性クローラ。
【請求項２】
弾性体により無端状に形成された弾性クローラ本体と、
前記弾性クローラ本体のクローラ周方向に巻回されると共に、クローラ厚み方向から見て前記弾性クローラ本体の全周に亘ってクローラ幅方向に等間隔に埋設されて前記弾性体に被覆されたメインコードを有するメインコード層と、
前記メインコード層と隣接し、前記弾性クローラ本体の厚み方向からみて前記メインコードと交差すると共に前記弾性体に被覆された交差コードを有する交差コード層と、
を備え、前記メインコードと前記交差コードが、前記弾性クローラ本体の少なくとも一部の領域において、下記式（１）を満たす、弾性クローラ。
Ｋａ×Ｋａ＋１＜（１−Ｋａ）×（１−Ｋａ＋１）・・・式（１）
［式（１）において、「Ｋａ」は、前記弾性クローラ本体の内周面側からａ番目の層に含まれる複数本のコードから選ばれる一のコードの直径（φａ）と前記一のコードのピッチ（φａ＋Ｄａ（Ｄａはａ層中で前記一のコードに隣接する他のコードと前記一のコードとのコード間距離を表す））との比（φａ／（φａ＋Ｄａ））を表す。「１−Ｋａ」は前記コード間距離（Ｄａ）と前記一のコードのピッチ（φａ＋Ｄａ）との比（Ｄａ／（φａ＋Ｄａ））を表す。「Ｋａ＋１」は、前記弾性クローラ本体の内周面側から（ａ＋１）番目の層に含まれる複数本のコードから選ばれる一のコードの直径（φａ＋１）と前記一のコードのピッチ（φａ＋１＋Ｄａ＋１（Ｄａ＋１は（ａ＋１）層中で前記一のコードに隣接する他のコードと前記一のコードとのコード間距離を表す））との比（φａ＋１／（φａ＋１＋Ｄａ＋１））を表す。「１−Ｋａ＋１」は前記コード間距離（Ｄａ＋１）と前記一のコードのピッチ（φａ＋１＋Ｄａ＋１）との比（Ｄａ＋１／（φａ＋１＋Ｄａ＋１））を表す。但し、ａは、１≦ａ≦Ｘ−１（Ｘ≧２、Ｘはコード層の数を表す）である。］
【請求項３】
前記交差コードのピッチが、前記交差コードの直径の２倍よりも大きい、請求項１又は請求項２に記載の弾性クローラ。
【請求項４】
全ての互いに隣接する前記コード層にそれぞれ含まれる前記コード同士が、前記式（１）を満たす、請求項２に記載の弾性クローラ。
【請求項５】
前記弾性クローラ本体の厚み方向からみて、全ての前記コード層を貫く前記弾性体によって連続的に連結される部分を有する、請求項１〜請求項４の何れか１項に記載の弾性クローラ。
【請求項６】
前記弾性クローラ本体の厚み方向からみて、前記式（１）を満たす前記コード同士が、次の式（２）を満たす、請求項２〜請求項５の何れか１項に記載の弾性クローラ。
Ｋａ×Ｋａ＋１＜（１−Ｋ１）×（１−Ｋ２）×・・・×（１−Ｋｘ）・・・式（２）
【請求項７】
前記弾性クローラ本体の内周面には、クローラ周方向に間隔をあけて突起が設けられ、
前記一部の領域が、前記突起のクローラ幅方向外側の領域である、請求項１〜請求項６の何れか１項に記載の弾性クローラ。
【発明の詳細な説明】
【技術分野】
【０００１】
本発明は、弾性クローラに関する。
【背景技術】
【０００２】
特許文献１には、クローラ本体の内部にコードを配設したゴムクローラが開示されている。
【先行技術文献】
【特許文献】
【０００３】
【特許文献１】特開２００８−１６６８６２号公報
【発明の概要】
【発明が解決しようとする課題】
【０００４】
ところで、弾性クローラは、スプロケットやアイドラーへの巻掛かりや、転輪からの押圧によって、クローラ内部に歪みが生じる。この結果、弾性クローラに埋設されたコード層同士が剥離する可能性がある。
本発明は、上記事実を考慮して、弾性クローラに埋設されたコード層同士の剥離を抑制することを目的とする。
【課題を解決するための手段】
【０００５】
本発明の第１態様の弾性クローラは、弾性体により無端状に形成された弾性クローラ本体と、複数本のコードが間隔をあけて並べられると共に弾性体で被覆して形成され、前記弾性クローラ本体に埋設された複数のコード層と、を備え、互いに隣接する前記コード層にそれぞれ含まれる前記コード同士は、前記弾性クローラ本体の厚み方向からみて、交差して配置されると共に、前記弾性クローラ本体の少なくとも一部の領域において、少なくとも１組の隣接する前記コード層は、前記隣接する前記コード層の各層に含まれる前記コード同士が前記厚み方向からみて重なり合う部分の合計面積が、前記隣接する前記コード層の各層の前記コードが配置されていない領域同士が前記厚み方向からみて重なり合う部分の合計面積よりも小さい。
【０００６】
弾性クローラの各コード層において、コードが配置されていない領域には弾性体が充填されている。このとき、隣接する２層のコード層において、弾性クローラ本体の厚み方向からみて、各層のコードが配置されていない領域同士が重なり合う部分には、隣接する２層のコード層に亘って連続して弾性体が充填される。
つまり、各層のコードが配置されていない領域同士が重なり合う部分において、隣接する２層を貫く弾性体によって、隣接する２層のコード層が連結される。
一方、隣接する２層のコード層において、弾性クローラ本体の厚み方向からみて、各層に含まれるコード同士が重なり合う部分は、コードによって弾性体が分断され、隣接するコードによって弾性体が挟まれるので、２層のコード層を貫いて連結することはできない。
【０００７】
すなわち、本発明の第１態様の弾性クローラは、弾性クローラ本体の少なくとも一部の領域において、弾性クローラ本体の厚み方向からみて、少なくとも１組の互いに隣接する２層のコード層において、弾性体によって貫いて連結される部分（各層のコードが配置されていない領域同士が重なり合う部分）の合計面積が、該２層のコード同士が重なり合う部分の合計面積よりも大きい。
したがって、弾性クローラ本体の少なくとも一部の領域において、弾性クローラに埋設された少なくとも１組の互いに隣接するコード層同士の剥離を効果的に抑制することができる。
【０００８】
本発明の第２態様の弾性クローラは、弾性体により無端状に形成された弾性クローラ本体と、複数本のコードが間隔をあけて並べられると共に弾性体で被覆して形成され、前記弾性クローラ本体に埋設された複数のコード層と、を備え、互いに隣接する前記コード層にそれぞれ含まれる前記コード同士は、前記弾性クローラ本体の厚み方向からみて、交差して配置されると共に、前記弾性クローラ本体の少なくとも一部の領域において、少なくとも１組の隣接する前記コード層の各層に含まれる前記コード同士が、下記式（１）を満たす。
Ｋａ×Ｋａ＋１＜（１−Ｋａ）×（１−Ｋａ＋１）・・・式（１）
［式（１）において、「Ｋａ」は、前記弾性クローラ本体の内周面側からａ番目の層に含まれる複数本のコードから選ばれる一のコードの直径（φａ）と前記一のコードのピッチ（φａ＋Ｄａ（Ｄａはａ層中で前記一のコードに隣接する他のコードと前記一のコードとのコード間距離を表す））との比（φａ／（φａ＋Ｄａ））を表す。「１−Ｋａ」は前記コード間距離（Ｄａ）と前記一のコードのピッチ（φａ＋Ｄａ）との比（Ｄａ／（φａ＋Ｄａ））を表す。「Ｋａ＋１」は、前記弾性クローラ本体の内周面側から（ａ＋１）番目の層に含まれる複数本のコードから選ばれる一のコードの直径（φａ＋１）と前記一のコードのピッチ（φａ＋１＋Ｄａ＋１（Ｄａ＋１は（ａ＋１）層中で前記一のコードに隣接する他のコードと前記一のコードとのコード間距離を表す））との比（φａ＋１／（φａ＋１＋Ｄａ＋１））を表す。「１−Ｋａ＋１」は前記コード間距離（Ｄａ＋１）と前記一のコードのピッチ（φａ＋１＋Ｄａ＋１）との比（Ｄａ＋１／（φａ＋１＋Ｄａ＋１））を表す。但し、ａは、１≦ａ≦Ｘ−１（Ｘ≧２、Ｘはコード層の数を表す）である。］
【０００９】
なお、ａ層又は（ａ＋１）層に含まれる複数本のコードから選ばれる一のコードとは、ａ層又は（ａ＋１）層に含まれる複数本のコードのうち、任意で選ばれた一本のコードのことを意味する。
【００１０】
ａ層と（ａ＋１）層とは、弾性クローラ本体の内周面側から数えてａ番目、及び（ａ＋１）番目のコード層であり、ａ層と（ａ＋１）層は、互いに隣接する層である。
【００１１】
本発明の第２態様では、弾性クローラ本体に複数のコード層が埋設され、互いに隣接するコード層にそれぞれ含まれるコード同士は、弾性クローラ本体の厚み方向からみて、交差して配置される。
そして、弾性クローラ本体の少なくとも一部の領域において、少なくとも１組の互いに隣接するコード層、すなわち、ａ層と（ａ＋１）層の間で、Ｋａ×Ｋａ＋１＜（１−Ｋａ）×（１−Ｋａ＋１）で表される関係が成り立っている。
【００１２】
すなわち、弾性クローラ本体の少なくとも一部の領域において、弾性クローラ本体に３層以上埋設された複数のコード層のうち、１組の互いに隣接するコード層の間で、Ｋａ×Ｋａ＋１＜（１−Ｋａ）×（１−Ｋａ＋１）が満たされていると、当該隣接する層間において、弾性クローラ本体の厚み方向からみて任意のコード同士が重なり合う部分の面積が全て、これら任意のコードに隣接しコードが配置されていない領域同士が重なり合う部分の面積よりも小さいということを示す。
すなわち、弾性クローラ本体の厚み方向からみて、弾性クローラ本体の少なくとも一部の領域における全てのコードについて、隣接する層間においてコード同士が重なり合う部分の面積が、これらのコードに隣接しコードが配置されていない領域同士が重なり合う部分の面積よりも小さいということを示す。
【００１３】
上述のように、隣接する２層のコードが配置されていない領域同士が重なり合う部分には、該２層のコード層に亘って連続して弾性体が充填される。つまり、隣接する２層のコードが配置されていない領域同士が重なり合う部分において、該２層を貫く弾性体によって、隣接する２層のコード層が連結される。一方、隣接する２層のコード層において、コード同士が重なりあう部分は、コードによって弾性体が分断されるので、２層のコード層を貫いて連結することはできない。
【００１４】
本発明の第２態様の弾性クローラは、前記式（１）の関係が、弾性クローラ本体に３層以上埋設された複数のコード層のうち少なくとも１組の互いに隣接するコード層における少なくとも一部の領域内において成り立つため、弾性クローラ本体の少なくとも一部の領域において、弾性クローラ本体の厚み方向からみて、少なくとも１組の互いに隣接するコード層が弾性体によって貫いて連結される部分の合計面積が、該２層のコード同士が重なり合う部分の合計面積よりも大きくなる。
したがって、弾性クローラ本体の少なくとも一部の領域において、弾性クローラに埋設された少なくとも１組の互いに隣接するコード層同士の剥離を抑制することができる。
【００１５】
本発明の第３態様の弾性クローラは、第２態様の弾性クローラにおいて、複数の前記コード層は、メインコード層と、前記メインコード層と隣接する交差コード層と、を備え、前記メインコード層は、前記弾性クローラ本体のクローラ周方向に巻回され、前記弾性体に被覆されたメインコードを有し、前記交差コード層は、前記弾性クローラ本体の厚み方向からみて前記メインコードと交差すると共に前記弾性体に被覆された交差コードを有し、前記メインコード層に含まれる前記メインコードと、前記交差コード層に含まれる前記交差コードとが、前記式（１）を満たす。
【００１６】
本発明の第３態様では、弾性クローラ本体の厚み方向からみて、メインコード層と、メインコード層と隣接する交差コード層とを貫く弾性体によって連結される部分の面積が、該２層のコード同士が重なり合う部分の面積よりも大きい。
したがって、弾性クローラに埋設されたメインコード層と、メインコード層と隣接する交差コード層同士の剥離を抑制することができる。
【００１７】
本発明の第４態様の弾性クローラは、第３態様の弾性クローラにおいて、前記交差コードのピッチが、前記交差コードの直径の２倍よりも大きい。
【００１８】
本発明の第４態様では、交差コードのピッチを大きく形成することで、式（１）を満たしながら、メインコードのピッチを小さくすることができる。
このことにより、弾性クローラ本体のクローラ周方向に働く張力に対する強度を損なうことなく、メインコード層と、メインコード層と隣接する交差コード層との層間剥離を抑制することができる。
【００１９】
本発明の第５態様の弾性クローラは、第２態様の弾性クローラにおいて、全ての互いに隣接する前記コード層にそれぞれ含まれる前記コード同士が、前記式（１）を満たす。
【００２０】
本発明の第５態様では、弾性クローラ本体の厚み方向からみて、全ての互いに隣接する２層のコード層が弾性体によって貫いて連結される部分の面積が、該２層のコード同士が重なり合う部分の面積よりも大きい。
したがって、弾性クローラに埋設された全ての互いに隣接するコード層の間において、コード層同士の剥離を抑制することができる。
【００２１】
本発明の第６態様の弾性クローラは、第２態様〜第５態様の何れか１態様の弾性クローラにおいて、前記弾性クローラ本体の厚み方向からみて、全ての前記コード層が前記弾性体によって貫いて連結される部分を有する。
【００２２】
本発明の第６態様では、弾性クローラ本体の厚み方向からみて、全てのコード層が弾性体によって貫いて連結される部分を有する。
したがって、弾性クローラに埋設されたコード層の間において、コード層同士の剥離を抑制する効果を高めることができる。
【００２３】
本発明の第７態様の弾性クローラは、第２態様〜第６態様の何れか１態様の弾性クローラにおいて、前記弾性クローラ本体の厚み方向からみて、前記式（１）を満たす前記コード同士が、次の式（２）を満たす。
Ｋａ×Ｋａ＋１＜（１−Ｋ１）×（１−Ｋ２）×・・・×（１−Ｋｘ）・・・式（２）
【００２４】
本発明の第７態様では、弾性クローラ本体の厚み方向からみて、全てのコード層が弾性体によって貫いて連結される部分の面積が、任意の隣接する２層のコード同士が重なり合う部分の面積よりも大きい。
したがって、弾性クローラに埋設されたコード層の間において、コード層同士の剥離を抑制する効果を高めることができる。
【００２５】
本発明の第８態様の弾性クローラは、第２態様〜第７態様の何れか１態様において、前記弾性クローラ本体の内周面には、クローラ周方向に間隔をあけて突起が設けられ、前記一部の領域が、前記突起のクローラ幅方向外側の領域である。
【００２６】
本発明の第８態様では、弾性クローラ本体の内周面に、クローラ周方向に間隔をあけて突起が設けられ、突起のクローラ幅方向外側において、弾性クローラ本体の厚み方向からみて
任意の隣接する２層のコード層が弾性体によって連結される部分の面積が、該２層のコード同士が重なり合う部分の面積よりも大きい。
したがって、スプロケットやアイドラーが巻き掛かり、また転輪から押圧されて歪みが生じやすい弾性クローラ本体の突起の幅方向外側において、弾性クローラに埋設されたコード層同士の剥離を、抑制することができる。
【発明の効果】
【００２７】
本発明に係る弾性クローラによれば、弾性クローラに埋設されたコード層同士の剥離を抑制することができる。
【図面の簡単な説明】
【００２８】
【図１】本発明の第１実施形態に係る弾性クローラの側面図である。
【図２】本発明の第１実施形態に係る弾性クローラの横断面図である。
【図３】本発明の第１実施形態に係る弾性クローラの一部切断平面図である。
【図４】本発明の第１実施形態に係る弾性クローラの部分拡大平面図である。
【図５】本発明の第１実施形態に係る弾性クローラの部分拡大平面図である。
【図６】本発明の第２実施形態に係る弾性クローラの部分拡大平面図である。
【図７】本発明の他の実施形態に係る弾性クローラの部分拡大平面図である。
【発明を実施するための形態】
【００２９】
［第１実施形態］
以下、図面を参照しながら、本発明の第一実施形態に係る弾性クローラの一例としてのゴムクローラ８０について説明する。
【００３０】
本実施形態におけるゴムクローラ８０は、図１に示すように、スプロケット９１、アイドラー９２、複数の転輪９０等を囲むようにスプロケット９１とアイドラー９２に巻き掛けられて用いられる無限軌道である。
図２は、第１実施形態のゴムクローラ８０のクローラ周方向の軸線に垂直な軸線に沿った横断面図である。
なお、クローラ周方向とは、ゴムクローラ８０の回転方向に沿った方向であり、長手方向とも言い換えられる。
また、クローラ幅方向とは、ゴムクローラ８０の回転方向に直交する方向であり、クローラ厚み方向とは、ゴムクローラ８０を内周面側あるいは外周面側からみた方向である。
また、図２において、クローラ幅方向を矢印Ｗで、クローラ厚み方向を矢印Ｄで示し、図３において、クローラ幅方向を矢印Ｗで、クローラ周方向を矢印Ｌで示している。
【００３１】
ゴムクローラ８０は、弾性体の一例としてのゴムにより無端状に形成されたゴムクローラ本体８２、突起５０、ラグ６０を含んで構成されている。
なお、ゴムクローラ本体８２は、本発明の弾性クローラ本体の一例である。
【００３２】
ゴムクローラ本体８２の内部には、内周面側（図２における上方側）から順に、０度コード層１０、メインコード層２０、バイアスコード層３０、バイアスコード層４０が積層されている。
【００３３】
突起５０は、ゴムクローラ本体８２の内周面の中央部に、ゴムクローラ８０の周方向に一定のピッチ（間隔）をもって突設されている。
突起５０はスプロケット９１と噛み合って駆動力をゴムクローラ８０に伝達するものである。また、ゴムクローラ本体８２のうち、突起５０のクローラ幅方向の外側、言い換えると左右の内周面７１、７２が、２点鎖線で示した転輪９０の走行面となる。
【００３４】
ラグ６０は、ゴムクローラ本体８２の外周面に、ゴムクローラ８０の周方向に一定のピッチをもって突設されている。
【００３５】
図２及び図３に示すように、０度コード層１０は無端帯状とされ、後述するメインコード２１の方向に対して直角を向いて埋設された０度コード１１が、ゴムクローラ本体８２のクローラ周方向に等間隔に埋設されている。
０度コード１１は、ゴムクローラ８０の幅方向の剛性を高くするための補強用スチールコードであり、複数本のストランドを撚り合わせて構成されている。なお、本実施形態では、一例として、上記ストランドを複数本のフィラメントを撚り合せて形成している。また、本実施形態においては、ゴムクローラ８０のクローラ幅方向に沿ってゴムクローラ本体８２に埋設されている。このため、ゴムクローラ本体８２が、クローラ幅方向に変形し難くなっている。
なお、０度コード層１１は、本発明における交差コード層の一例である。
【００３６】
０度コード層１０の外周面側には、メインコード層２０が配置されている。メインコード層２０は無端帯状とされ、メインコード２１が、ゴムクローラ本体８２のクローラ幅方向に亘って等間隔に埋設されて構成されている。
メインコード２１は、ゴムクローラ８０のクローラ周方向に巻回されてゴムクローラ本体８２に埋設されている。
なお、メインコード２１は、ゴムクローラ８０のクローラ周方向の引張り強度を増強するために埋設されるスチールコードであり、複数本のストランドを撚り合わせて構成されている。なお、本実施形態では、一例として、上記ストランドを複数本のフィラメントを撚り合せて形成している。このため、ゴムクローラ本体８２の、クローラ周方向に対する引張り強度が高められている。
【００３７】
メインコード層２０の外周面側には、バイアスコード層３０が配置されている。バイアスコード層３０は無端帯状とされ、バイアスコード３１が、ゴムクローラ本体８２のクローラ幅方向に亘って等間隔に埋設されて構成されている。また、クローラ周方向に等間隔に埋設されて構成されている。
バイアスコード３１は、クローラ周方向に対して斜めに延びると共に複数本並列して配置され、ゴムクローラ８０の内周面からみて、メインコード２１、及び後述するバイアスコード４１と交差している。バイアスコード３１と、バイアスコード４１とは、クローラ周方向に対して互いに逆方向に傾斜している。
なお、ゴムクローラ８０の内周面からみて、とは、ゴムクローラ本体８２を厚み方向からみる一態様である。
なお、バイアスコード３１は、メインコード２１のねじれを防止するための補強用スチールコードであり、複数本のストランドを撚り合わせて構成されている。なお、本実施形態では、一例として、上記ストランドを複数本のフィラメントを撚り合せて形成し、メインコード２１よりも小径とされたスチールコードを用いている。このため、ゴムクローラ本体８２の直進性が高められている。
なお、バイアスコード層３１は、本発明における交差コード層の一例である。
【００３８】
バイアスコード層３０の外周面側には、バイアスコード層４０が配置されている。バイアスコード層４０は無端帯状とされ、バイアスコード４１が、ゴムクローラ本体８２のクローラ幅方向に亘って等間隔に埋設されて構成されている。また、クローラ周方向に等間隔に埋設されて構成されている。
バイアスコード４１は、クローラ周方向に対して斜めに延びると共に複数本並列して配置され、ゴムクローラ８０の内周面からみて、バイアスコード３１と交差して配置されている。バイアスコード４１と、バイアスコード３１とは、クローラ周方向に対して互いに逆方向に傾斜している。
なお、バイアスコード４１は、メインコード２１のねじれを防止するための補強用スチールコードであり、複数本のストランドを撚り合わせて構成されている。なお、本実施形態では、一例として、上記ストランドを複数本のフィラメントを撚り合せて形成し、メインコード２１よりも小径とされたスチールコードを用いている。このため、ゴムクローラ本体８２の直進性が高められている。
【００３９】
次に、各層の関係について、図４を説明しながら説明する。なお、以下の説明において、０度コード層１０、メインコード層２０、バイアスコード層３０、バイアスコード層４０をそれぞれ、第１層１０、第２層２０、第３層３０、第４層４０と表現することがある。
【００４０】
本実施形態におけるゴムクローラ８０においては、各層に含まれるコード同士が全て、下記式（１−１）を満たす。
Ｋａ×Ｋａ＋１＜（１−Ｋａ）×（１−Ｋａ＋１）・・・式（１−１）
【００４１】
式（１−１）において、「Ｋａ」は、図４に示すように、ゴムクローラ８０の内周面側からａ番目の層に含まれる複数本のコードから選ばれる一のコードの直径（φａ）と、該一のコードのピッチ（φａ＋Ｄａ）（以下、単にピッチと称する。）との比を表す。なお、図４では、ピッチを（Ｐａ）と示している。
すなわち、
Ｋａ＝φａ／（φａ＋Ｄａ）・・・式（Ａ）
で表される。なお、Ｄａはａ層中で該一のコードに隣接する他のコードと該一のコードとのコード間距離を表す。
【００４２】
また、式（１）において、「１−Ｋａ」は、コード間距離（Ｄａ）とピッチ（φａ＋Ｄａ）との比を表す。
すなわち、
１−Ｋａ＝Ｄａ／（φａ＋Ｄａ）・・・式（Ｂ）
で表される。
【００４３】
同様に、式（１−１）において、「Ｋａ＋１」は、図４に示すように、ゴムクローラ８０の内周面側から（ａ＋１）番目の層に含まれる複数本のコードから選ばれる一のコードの直径（φａ＋１）と、ピッチ（φａ＋１＋Ｄａ＋１）との比を表す。
すなわち、
Ｋａ＋１＝φａ＋１／（φａ＋１＋Ｄａ＋１）・・・式（Ｃ）
で表される。なお、Ｄａ＋１は（ａ＋１）層中で該一のコードに隣接する他のコードと該一のコードとのコード間距離を表す。
【００４４】
また、式（１−１）において、「１−Ｋａ＋１」は、コード間距離（Ｄａ＋１）とピッチ（φａ＋１＋Ｄａ＋１）との比を表す。
すなわち、
１−Ｋａ＋１＝Ｄａ＋１／（φａ＋１＋Ｄａ＋１）・・・式（Ｄ）
で表される。
【００４５】
式（１）に、式（Ａ）、（Ｂ）、（Ｃ）、（Ｄ）を代入すると、式（１）は次のように書き換えられる。
φａ×φａ＋１＜Ｄａ×Ｄａ＋１・・・・式（１−２）
【００４６】
図５は、第ａ層と、第（ａ＋１）層の、それぞれ１ピッチずつを取り出した単位構成図である。ゴムクローラ８０の第ａ層と、第（ａ＋１）層は、この単位構成がクローラ周方向、及び幅方向に連続して構成されている。
【００４７】
図５において、ゴムクローラ８０をクローラ厚み方向の一方側、本実施形態においては、ゴムクローラ８０の内周面側からみたときに、第ａ層に埋設されたコードと、第（ａ＋１）層に埋設されたコードがなす角度をθとする。
このとき、ゴムクローラ８０の内周面からみたときに、第ａ層に埋設されたコードと、第（ａ＋１）層に埋設されたコード同士が重なり合う部分の面積をＳ、コードが配置されていない領域同士が重なり合う部分の面積をＴとすると、
Ｓ＝φａ×φａ＋１／ｓｉｎθ・・・式（Ｅ）
Ｔ＝Ｄａ×Ｄａ＋１／ｓｉｎθ・・・式（Ｆ）
で表される。
【００４８】
なお、本実施形態における直径φａ、ピッチＰａ、コード間距離Ｄａは、ゴムクローラ８０をクローラ厚み方向からレントゲン撮影することにより測定される。
第１実施形態においては、各層に含まれるコード同士が全て、式（１）を満たすため、式（１−２）を満たすことになる。
式（１−２）に、式（Ｅ）、（Ｆ）をそれぞれ代入して、式（１−２）を面積Ｓ、Ｔの関係に置き換えると、式（１−２）は次のように書き換えられる。
Ｓ×ｓｉｎθ＜Ｔ×ｓｉｎθ
すなわち、各層に含まれるコード同士が全て、
Ｓ＜Ｔ・・・式（１−３）
を満たす。
【００４９】
言い換えると、ゴムクローラ８０を内周面からみて、クローラ周方向の全ての領域で、クローラ幅方向に亘って、０度コード１１、メインコード２１が重なる部分の面積は、０度コード１１、メインコード２１が配置されていない領域同士が重なり合う部分の面積よりも小さい。
【００５０】
ここで、何れのコード層のコードも配置されない部分には、隣接する２層のコード層に亘って連続してゴムが充填される。
したがって、隣接する２層のコード層は、コードが配置されていない領域同士が重なり合う部分において、２層を貫くゴムによって連結される。
【００５１】
すなわち、ゴムクローラ８０を内周面からみて、クローラ周方向の全ての領域で、クローラ幅方向に亘って、第１層１０と第２層２０とを貫いて連結する部分の面積が、第１層１０と、第２層２０の各コード同士が重なり合う部分の面積よりも大きい。
【００５２】
同様に、ゴムクローラ８０を内周面からみて、クローラ周方向の全ての領域で、クローラ幅方向に亘って、メインコード２１、バイアスコード３１が重なる部分の面積は、メインコード２１、バイアスコード３１が配置されていない領域同士が重なり合う部分の面積よりも小さい。
すなわち、ゴムクローラ８０を内周面からみて、クローラ周方向の全ての領域で、クローラ幅方向に亘って、第２層２０と第３層３０とを貫いて連結する部分の面積が、第２層２０と、第３層３０の各コード同士が重なり合う部分の面積よりも大きい。
【００５３】
同様に、ゴムクローラ８０を内周面からみて、クローラ周方向の全ての領域で、クローラ幅方向に亘って、バイアスコード３１、バイアスコード４１が重なる部分の面積は、バイアスコード３１、バイアスコード４１が配置されていない領域同士が重なり合う部分の面積よりも小さい。
すなわち、ゴムクローラ８０を内周面からみて、クローラ周方向の全ての領域で、クローラ幅方向に亘って、第３層３０と、第４層４０とを貫いて連結する部分の面積が、第３層３０と、第４層４０との各コード同士が重なり合う部分の面積よりも大きい。
【００５４】
（作用）
第１実施形態のゴムクローラ８０は、上記のように構成されており、以下その作用について説明する。
【００５５】
第１実施形態のゴムクローラ８０は、ゴムクローラ８０を内周面からみて、クローラ周方向の全ての領域で、クローラ幅方向に亘って、任意の隣接する２層のコード層がゴムによって貫いて連結される部分の面積が、該２層のコード層の各コード同士が重なり合う部分の面積よりも大きい。
【００５６】
走行時に、ゴムクローラ８０が転輪９０に押圧されると、各コード層には圧縮力が加わる。転輪９０は踏込み時から蹴り出し時までゴムクローラ８０を押圧するので、この圧縮力は、クローラ厚み方向と、クローラ厚み方向に近い方向に作用する。
【００５７】
隣り合う２つのコード層の各コード同士が重なり合う部分においては、各コード同士が、各コード同士の間のゴムを挟んで互いに押圧し合うが、圧縮力はクローラ厚み方向に近い方向、即ちクローラ厚み方向からずれた方向からも作用するため、各コード同士は、水平方向にも移動しようとする。
このとき、各コード同士の間のゴムには、各コード同士が移動しようとする方向にせん断力が作用する。このせん断力によって、各コード同士の間のゴムが破壊される。
【００５８】
本実施形態のゴムクローラ８０によれば、隣り合う２層のコード層を貫いて連結するゴムによって、コード同士の間のゴムの破壊が、水平方向に伝播することが抑制される。
したがって、本実施形態のゴムクローラ８０によれば、埋設されたコード層同士の剥離を抑制することができる。
【００５９】
［第２実施形態］
以下、図面を参照しながら、第２実施形態の弾性クローラの一例としてのゴムクローラ８１について説明する。なお、第１実施形態と同様の構成となる部分については、同一符号を付して説明を省略する。
【００６０】
図６は、第２実施形態のゴムクローラ８１の内周面側からみた部分図であり、ゴムは省略されている。
第２実施形態のゴムクローラ８１の内部には、ゴムクローラ８１の内周面側から順に、０度コード層１０、メインコード層２０、バイアスコード層３０、バイアスコード層４０が積層されている。
【００６１】
０度コード層１０、メインコード層２０、バイアスコード層３０、バイアスコード層４０にはそれぞれ、０度コード１１、メインコード２１、バイアスコード３１、バイアスコード４１が埋設されている。
【００６２】
ゴムクローラ８１を内周面からみて、０度コード１１、メインコード２１が重なり合う部分の合計面積をＳ１２として表す。
また、ゴムクローラ８１を内周面からみて、メインコード２１、バイアスコード３１が重なり合う部分の合計面積をＳ２３として表す。
また、ゴムクローラ８１を内周面からみて、バイアスコード３１、バイアスコード４１が重なり合う部分の合計面積をＳ３４として表す。
また、０度コード１１、メインコード２１、バイアスコード３１、バイアスコード４１が何れも配置されていない領域同士が重なり合う部分の合計面積を、Ｔ０として表す。
なお、図６においては、Ｓ１２、Ｓ２３、Ｓ３４、Ｔ０をそれぞれ１箇所ずつ示したが、Ｓ１２、Ｓ２３、Ｓ３４、Ｔ０は、それぞれクローラ周方向の全ての領域で、クローラ幅方向に亘る部分の合計面積であり、図６に示された領域には限られない。
【００６３】
このとき、第２実施形態のゴムクローラ８１では、
Ｓ１２＜Ｔ０  かつ  Ｓ２３＜Ｔ０  かつ  Ｓ３４＜Ｔ０
が成りたつ。
【００６４】
言い換えると、任意のａ［但し、１≦ａ≦３］において、
Ｋａ×Ｋａ＋１＜（１−Ｋ１）×（１−Ｋ２）×（１−Ｋ３）×（１−Ｋ４）・・・式（２）
が成り立つ。
【００６５】
さらに言い換えると、ゴムクローラ８１を内周面からみて、クローラ周方向の全ての領域で、クローラ幅方向に亘って、０度コード１１、メインコード２１が重なる部分の合計面積は、０度コード１１、メインコード２１、バイアスコード３１、バイアスコード４１が何れも配置されていない領域同士が重なり合う部分の合計面積よりも小さい。
すなわち、ゴムクローラ８１を内周面からみて、クローラ周方向の全ての領域で、クローラ幅方向に亘って、第１層１０、第２層２０、第３層３０、第４層４０を貫くゴムによって連続的に連結される部分の面積が、第１層１０と、第２層２０の各コード同士が重なり合う部分の面積よりも大きい。
【００６６】
同様に、ゴムクローラ８１を内周面からみて、クローラ周方向の全ての領域で、クローラ幅方向に亘って、メインコード２１、バイアスコード３１が重なる部分の合計面積は、０度コード１１、メインコード２１、バイアスコード３１、バイアスコード４１が何れも配置されていない領域同士が重なり合う部分の合計面積よりも小さい。
すなわち、ゴムクローラ８１を内周面からみて、クローラ周方向の全ての領域で、クローラ幅方向に亘って、第１層１０、第２層２０、第３層３０、第４層４０を貫く弾性体によって連続的に連結される部分の面積が、第２層２０と、第３層３０の各コード同士が重なり合う部分の面積よりも大きい。
【００６７】
同様に、ゴムクローラ８１を内周面からみて、クローラ周方向の全ての領域で、クローラ幅方向に亘って、バイアスコード３１、バイアスコード４１が重なる部分の合計面積は、０度コード１１、メインコード２１、バイアスコード３１、バイアスコード４１が何れも配置されていない領域同士が重なり合う部分の合計面積よりも小さい。
すなわち、ゴムクローラ８１を内周面からみて、クローラ周方向の全ての領域で、クローラ幅方向に亘って、第１層１０、第２層２０、第３層３０、第４層４０を貫く弾性体によって連続的に連結される部分の面積が、第３層３０と、第４層４０の各コード同士が重なり合う部分の面積よりも大きい。
【００６８】
（作用）
第２実施形態のゴムクローラ８１は、上記のように構成されており、以下その作用について説明する。
【００６９】
第２実施形態のゴムクローラ８１は、ゴムクローラ８１を内周面からみて、クローラ周方向の全ての領域で、クローラ幅方向に亘って、第１層１０、第２層２０、第３層３０、第４層４０を貫く弾性体によって連続的に連結される部分の面積が、任意の隣接する２層のコード層の各コード同士が重なり合う部分の面積よりも大きい。
したがって、第１実施形態のゴムクローラ８０よりも、埋設されたコード層同士の剥離を抑制することができる効果が高い。
【００７０】
［他の実施形態］
以上、本発明の実施形態の例について説明したが、本発明の実施形態は、上記に限定されるものでなく、上記以外にも、その主旨を逸脱しない範囲内において種々変形して実施可能であることは勿論である。
【００７１】
例えば、ゴムクローラ８０には、内周面側から順に０度コード層１０、メインコード層２０、バイアスコード層３０、バイアスコード層４０が埋設されているものとしたが、少なくとも２層のコード層が設けられていれば、０度コード層１０はなくてもよいし、バイアスコード層４０がなくてもよい。
また、バイアスコード層４０の外周面側に、更に別のバイアスコード層を設けてもよい。
また、０度コード層１０をゴムクローラ８０の内周面側ではなく外周面側に設けてもよい。
【００７２】
また、第１実施形態では、ゴムクローラ８０を内周面からみて、全ての隣接するコード層にそれぞれ含まれるコード同士が式（１）を満たすものとしたが、少なくとも１組の互いに隣接するコード層にそれぞれ含まれるコード同士が式（１）を満たせばよい。
すなわち、式（１）において、少なくとも
ａ＝１  又は  ａ＝２  又は  ａ＝３
を満たせばよい。
この場合、式（１）が成り立つ少なくとも１組の２層間のコード層同士の剥離を抑制することができる。
【００７３】
次の構成を有するゴムクローラを製造して耐久試験を行い、本実施例の効果について検証した。
【００７４】
０度コード層１０：φ１＝０．９４ｍｍ、  Ｄ１＝０．７１ｍｍ
メインコード層２０：φ２＝６．１９ｍｍ、  Ｄ２＝４．４７ｍｍ
バイアスコード層３０：φ３＝０．９４ｍｍ、  Ｄ３＝１．００ｍｍ
バイアスコード層４０：φ４＝０．９４ｍｍ、  Ｄ４＝１．００ｍｍ
【００７５】
上記の数値を式（Ａ）に代入すると、
Ｋ１＝０．５７、Ｋ２＝０．５８、Ｋ３＝０．４８、Ｋ４＝０．４８
となる（小数点３桁を四捨五入して求められる値。以下同様）。したがって、
Ｋ１×Ｋ２＝０．３３、（１−Ｋ１）×（１−Ｋ２）＝０．１８、
Ｋ２×Ｋ３＝０．２８、（１−Ｋ２）×（１−Ｋ３）＝０．２２、
Ｋ３×Ｋ４＝０．２３、（１−Ｋ３）×（１−Ｋ４）＝０．２７、
となり、式（１−１）は、ａ＝３のときにおいてのみ成り立つ。
なお、［（１−Ｋ３）×（１−Ｋ４）］の値は、（Ｋ３×Ｋ４）の約１１７％とされている。
【００７６】
検証の結果、式（１−１）が成り立たない０度コード層１０とメインコード層２０との間、及びメインコード層２０とバイアスコード層３０との間で、コード層同士が剥離した。なお、式（１−１）の左辺（Ｋａ×Ｋａ＋１）から、右辺［（１−Ｋａ）×（１−Ｋａ＋１）］を差し引いた値の大きい、０度コード層１０とメインコード層２０との間で、剥離の発生箇所が多かった。
また、式（１−１）が成り立つバイアスコード層３０とバイアスコード層４０との間では、コード層同士の剥離は発生しなかった。
すなわち、式（１−１）の右辺の値が、左辺の値の１１７％以上とされた隣り合う２層間においては、コード層同士の剥離を抑制する効果があることが確認された。
【００７７】
また、別の実施形態としては、メインコード層２０含まれるメインコード２１と、メインコード層２０に隣接するコード層に含まれるコード（０度コード１１、バイアスコード３１）同士が式（１）を満たせばよい。
すなわち、式（１）において、
１≦ａ≦２
を満たせばよい。
この場合、メインコード層２０と、メインコード層２０と隣接するコード層（０度コード層１０、バイアスコード層３０）との剥離を抑制することができる。
【００７８】
更には、メインコード層２０と隣接するコード層（０度コード層１０、バイアスコード層３０）に埋設されたコードのピッチを、該コードの直径の２倍よりも大きくすることにより、メインコード層２０に隣接するコード層が弾性体によって連結される部分の面積を、該２層のコード層の各コード同士が重なり合う部分の面積よりも大きいものとしてもよい。
この場合、メインコード２１のピッチを小さくすることができるので、ゴムクローラ本体８２のクローラ周方向に働く張力に対する強度を損なうことなく、メインコード層２０と、メインコード層２０と隣接するコード層（０度コード層１０、バイアスコード層３０）との剥離を抑制することができる。
【００７９】
また、第２実施形態では、ゴムクローラ８１を内周面からみて、クローラ周方向の全ての領域で、クローラ幅方向に亘って、第１層１０、第２層２０、第３層３０、第４層４０を貫く弾性体によって連続的に連結される部分の面積が、任意の隣接する２層のコード層の各コード同士が重なり合う部分の面積よりも大きいものとしたが、第１層１０、第２層２０、第３層３０、第４層４０を貫く弾性体によって連続的に連結される部分の面積が、少なくとも１組の互いに隣接する前記コード層の各コード同士が重なり合う部分の面積よりも大きいものとしてもよい。
すなわち、
Ｓ１２＜Ｔ０  又は  Ｓ２３＜Ｔ０  又は  Ｓ３４＜Ｔ０
を満たせばよい。
あるいは、第１層１０、第２層２０、第３層３０、第４層４０を貫く弾性体によって連続的に連結される部分の面積が、メインコード層と、メインコード層に隣接するコード層の各コード同士が重なり合う部分の面積よりも大きいものとしてもよい。
すなわち、
Ｓ１２＜Ｔ０  かつ  Ｓ２３＜Ｔ０
を満たせばよい。
また、このとき更に、メインコード層２０と隣接するコード層（０度コード層１０、バイアスコード層３０）に埋設されたコードのピッチを、該コードの直径の２倍よりも大きくしてもよい。
これらの場合、ゴムクローラ８１に埋設されたコード層同士の剥離を抑制する効果を、より高めることができる。
【００８０】
また、各コード層のコードのピッチはクローラ周方向あるいは幅方向に等間隔とされていたが、これに限らない。
例えば、ゴムクローラ８０、８１の中央部を除く、幅方向外側の部分のコードのピッチを大きくして、突起５０の幅方向外側の部分において式（１）が成り立つものとすればよい。
この場合、転輪９０が通過する部分において、埋設されたコード層同士の剥離を抑制することができる。
【００８１】
例えば、図７に示すように、ａ層に含まれる一のコードをＣａ、該コードの一方側及び他方側に隣接するコードをＬａ及びＲａ、（ａ＋１）層に含まれる一のコードをＣａ＋１、該コードの一方側及び他方側に隣接するコードをＬａ＋１及びＲａ＋１とする。
このとき、ＣａとＬａのコード間距離と、ＣａとＲａのコード間距離は異なるものとする。
また、Ｃａ＋１とＬａ＋１のコード間距離と、Ｃａ＋１とＲａ＋１のコード間距離は異なるものとする。
ゴムクローラ８０を内周面からみたときに、Ｌａ及びＲａ、Ｌａ＋１及びＲａ＋１に囲まれる領域において、ＣａとＣａ＋１とが重なる部分の面積をＳ、ＣａとＣａ＋１が何れも配置されていない領域同士が重なり合う部分の面積をＴ１、Ｔ２、Ｔ３、Ｔ４、としたときに、
Ｓ＜Ｔ１  かつ  Ｓ＜Ｔ２  かつ  Ｓ＜Ｔ３かつ  Ｓ＜Ｔ４
が、クローラの任意の領域で成り立っていればよい。
【００８２】
また、弾性体の一例としてゴムを用いたが、エラストマ等を用いてもよい。
【符号の説明】
【００８３】
１０、０度コード層  １１、０度コード  ２０、メインコード層  ２１、メインコード
３０、バイアスコード層  ３１、バイアスコード  ４０、バイアスコード層  
４１、バイアスコード  ５０、突起  ８０、ゴムクローラ  ８１、ゴムクローラ  
８２、ゴムクローラ本体
【要約】
【課題】弾性クローラに埋設されたコード層同士の剥離を抑制する。
【解決手段】弾性クローラは、弾性体により無端状に形成された弾性クローラ本体と、複数本のコードが間隔をあけて並べられると共に弾性体で被覆して形成され、弾性クローラ本体に埋設された複数のコード層と、を備え、互いに隣接するコード層にそれぞれ含まれるコード同士は、弾性クローラ本体の厚み方向からみて、交差して配置されると共に、弾性クローラ本体の少なくとも一部の領域において、少なくとも１組の隣接する前記コード層は、隣接するコード層の各層に含まれるコード同士が厚み方向からみて重なり合う部分の合計面積が、隣接するコード層の各層のコードが配置されていない領域同士が厚み方向からみて重なり合う部分の合計面積よりも小さい。
【選択図】図３【図１】
0005855305.tif 000002
【図２】
0005855305.tif 000003
【図３】
0005855305.tif 000004
【図４】
0005855305.tif 000005
【図５】
0005855305.tif 000006
【図６】
0005855305.tif 000007
【図７】
0005855305.tif 000008